(57)【特許請求の範囲】
【請求項１】
ブラインを冷却する熱源機と、冷却されたブラインと負荷側に供給する水との熱交換を行う熱交換器と、前記熱源機と前記熱交換器との間で冷却されたブラインが循環する循環用ブライン経路と、前記循環用ブライン経路に設けられ、前記熱源機で冷却されたブラインを前記熱交換器に導くブラインポンプと、前記循環用ブライン経路に設けられ、ブラインを迂回させる製氷用ブライン経路と、前記製氷用ブライン経路に設けられ、冷却されたブラインにより氷を生成する製氷用コイルを内蔵した蓄熱槽と、前記製氷用ブライン経路に設けられた開閉自在な第１の制御用開閉弁と、前記循環用ブライン経路に設けられ、開閉自在で閉じたときに前記熱源機からのブラインを製氷用ブライン経路に流す第２の制御用開閉弁と、前記熱源機を運転制御すると共に前記第１及び第２の制御用開閉弁を開閉制御する制御装置とを備えた氷蓄熱式熱源装置において、
前記循環用ブライン経路に前記熱源機出口のブライン温度を検出する第１の温度センサーと、前記熱交換器入口のブライン温度を検出する第２の温度センサーを設け、
前記制御装置は、
解氷運転だけのピークカット運転時に、
前記第２の温度センサーが検出するブライン温度と、前記第１の温度センサーが検出する熱源機から流れ出て蓄熱槽を経由させる前のブラインの温度との差が予め設定された温度差上限値を超えないときには、前記第２の温度センサーが検出したブライン温度と予め設定された目標ブライン温度とを比較し、そのブライン温度が目標ブライン温度より低いときは、前記第１及び第２の制御用開閉弁の開度を前記蓄熱槽の解氷量を減らすように制御し、逆にそのブライン温度が目標ブライン温度より高いときは、前記第１及び第２の制御用開閉弁の開度を蓄熱槽の解氷量を増やすように制御し、
前記第２の温度センサーが検出するブライン温度と、前記第１の温度センサーが検出する熱源機から流れ出て蓄熱槽を経由させる前のブラインの温度との差が予め設定された温度差上限値を超えるときには、前記第１及び第２の制御用開閉弁の開度を蓄熱槽の解氷を行わないように制御することを特徴とする氷蓄熱式熱源装置。
【請求項２】
ブラインを冷却する熱源機と、冷却されたブラインと負荷側に供給する水との熱交換を行う熱交換器と、前記熱源機と前記熱交換器との間で冷却されたブラインが循環する循環用ブライン経路と、前記循環用ブライン経路に設けられ、前記熱源機で冷却されたブラインを前記熱交換器に導くブラインポンプと、前記循環用ブライン経路に設けられ、ブラインを迂回させる製氷用ブライン経路と、前記製氷用ブライン経路に設けられ、冷却されたブラインにより氷を生成する製氷用コイルを内蔵した蓄熱槽と、前記製氷用ブライン経路に設けられた開閉自在な第１の制御用開閉弁と、前記循環用ブライン経路に設けられ、開閉自在で閉じたときに前記熱源機からのブラインを製氷用ブライン経路に流す第２の制御用開閉弁と、前記熱源機を運転制御すると共に前記第１及び第２の制御用開閉弁を開閉制御する制御装置とを備えた氷蓄熱式熱源装置において、
前記循環用ブライン経路に前記熱源機出口のブライン温度を検出する第１の温度センサーと、前記熱交換器入口のブライン温度を検出する第２の温度センサーを設け、
前記制御装置は、
熱源機による追掛け運転と解氷運転とを同時に行うピークシフト運転時に熱源機がブラインを冷却している状態で、
前記第２の温度センサーが検出するブライン温度と、前記第１の温度センサーが検出する熱源機から流れ出て蓄熱槽を経由させる前のブラインの温度との差が予め設定された温度差上限値を超えないときには、前記第２の温度センサーが検出したブライン温度と予め設定された目標ブライン温度とを比較し、そのブライン温度が目標ブライン温度より低いときは、前記第１及び第２の制御用開閉弁の開度を前記蓄熱槽の解氷量を減らすように制御し、逆にそのブライン温度が目標ブライン温度より高いときは、前記第１及び第２の制御用開閉弁の開度を蓄熱槽の解氷量を増やすように制御し、
前記第２の温度センサーが検出するブライン温度と、前記第１の温度センサーが検出する熱源機から流れ出て蓄熱槽を経由させる前のブラインの温度との差が予め設定された温度差上限値を超えるときには、前記第１及び第２の制御用開閉弁の開度を蓄熱槽の解氷を行わないように制御すると共に前記熱源機によるブラインの冷却能力も落すようにしたことを特徴とする氷蓄熱式熱源装置。
【発明の詳細な説明】
【技術分野】
【０００１】
本発明は、氷蓄熱式熱源装置に係り、氷蓄熱槽から取り出す解氷熱量を制御することにより、解氷運転中に負荷対応が悪化する状態を防止することに関するものである。
【背景技術】
【０００２】
従来の氷蓄熱装置は、空冷チラー、蓄熱槽、ブラインポンプ、ブライン−水熱交換器とそれらを接続する配管、弁、冷水温度センサーで構成され、冷水温度センサーによる測定温度と予め設定された温度から弁の開閉量を制御する制御手段を設けて構成されている（特許文献１参照）。
【先行技術文献】
【特許文献】
【０００３】
【特許文献１】特許第２７７１８８３号公報（第１頁、第１図）
【発明の概要】
【発明が解決しようとする課題】
【０００４】
しかし、従来の氷蓄熱装置では、負荷に対応する熱量の制御は弁開閉による流量制御のみであるため、流量や負荷の変動が生じた場合、熱量が一定にならないといった問題があった。
これにより、外部条件、例えば外気温度等の変動の影響により、空調運転中に当初の予測より負荷が大きくなった場合に、蓄熱槽内の水を使い切ってしまい、負荷対応が悪化してしまうという欠点があった。
本発明はかかる問題を解決するためになされたものであり、氷蓄熱槽から取り出す解氷熱量を制御し、解氷運転中に氷の使い過ぎや解け過ぎにより負荷対応が悪化する状態を防止できる氷蓄熱式熱源装置を得ることを目的とする。
【課題を解決するための手段】
【０００５】
本発明に係る氷蓄熱式熱源装置は、ブラインを冷却する熱源機と、冷却されたブラインと負荷側に供給する水との熱交換を行う熱交換器と、前記熱源機と前記熱交換器との間で冷却されたブラインが循環する循環用ブライン経路と、前記循環用ブライン経路に設けられ、前記熱源機で冷却されたブラインを前記熱交換器に導くブラインポンプと、前記循環用ブライン経路に設けられ、ブラインを迂回させる製氷用ブライン経路と、前記製氷用ブライン経路に設けられ、冷却されたブラインにより氷を生成する製氷用コイルを内蔵した蓄熱槽と、前記製氷用ブライン経路に設けられた開閉自在な第１の制御用開閉弁と、前記循環用ブライン経路に設けられ、開閉自在で閉じたときに前記熱源機からのブラインを製氷用ブライン経路に流す第２の制御用開閉弁と、前記熱源機を運転制御すると共に前記第１及び第２の制御用開閉弁を開閉制御する制御装置とを備えた氷蓄熱式熱源装置において、前記循環用ブライン経路に前記熱源機出口のブライン温度を検出する第１の温度センサーと、前記熱交換器入口のブライン温度を検出する第２の温度センサーを設け、前記制御装置は、解氷運転だけのピークカット運転時に、前記第２の温度センサーが検出するブライン温度と、前記第１の温度センサーが検出する熱源機から流れ出て蓄熱槽を経由させる前のブラインの温度との差が予め設定された温度差上限値を超えないときには、前記第２の温度センサーが検出したブライン温度と予め設定された目標ブライン温度とを比較し、そのブライン温度が目標ブライン温度より低いときは、前記第１及び第２の制御用開閉弁の開度を前記蓄熱槽の解氷量を減らすように制御し、逆にそのブライン温度が目標ブライン温度より高いときは、前記第１及び第２の制御用開閉弁の開度を蓄熱槽２の解氷量を増やすように制御し、前記第２の温度センサーが検出するブライン温度と、前記第１の温度センサーが検出する熱源機から流れ出て蓄熱槽を経由させる前のブラインの温度との差が予め設定された温度差上限値を超えるときには、前記第１及び第２の制御用開閉弁の開度を蓄熱槽の解氷を行わないように制御することを特徴とする。
【発明の効果】
【０００６】
本発明に係る氷蓄熱式熱源装置は、熱源機と前記熱交換器との間で冷却されたブラインが循環する循環用ブライン経路に熱源機出口のブライン温度を検出する第１の温度センサーと、熱交換器入口のブライン温度を検出する第２の温度センサーを設け、制御装置は、解氷運転だけのピークカット運転時に前記第２の温度センサーが検出したブライン温度と予め設定された目標ブライン温度とを比較し、そのブライン温度が目標ブライン温度より低いときは、製氷用ブライン経路に設けられた開閉自在な第１の制御開閉弁と循環用ブライン経路に設けられ、開閉自在で閉じたときに熱源機からのブラインを製氷用ブライン経路に流す第２の制御用開閉弁の開度を前記蓄熱槽の解氷量を減らすように制御し、逆にそのブライン温度が目標ブライン温度より高いときは、前記第１及び第２の制御用開閉弁の開度を蓄熱槽の解氷量を増やすように制御し、第２の温度センサーが検出するブライン温度と、第１の温度センサーが検出する熱源機から流れ出て蓄熱槽を経由させる前のブラインの温度との差が予め設定された温度差上限値を超えるときには前記第１及び第２の制御用開閉弁の開度を蓄熱槽の解氷を行わないように制御するようにしたので、解氷運転中に蓄熱槽からの解氷量調整を行うことが可能となり、氷の使い過ぎや解け過ぎにより、ピークカット時間帯の中で負荷に対応する熱源ゼロの状態となり、負荷対応が悪化する状態となることなく、冷水を安定して供給することができる。
【図面の簡単な説明】
【０００７】
【図１】本発明の実施の形態１及び２の氷蓄熱式熱源装置の構成図。
【図２】本発明の実施の形態１の氷蓄熱式熱源装置の負荷に対する運転パターンを示す図。
【図３】本発明の実施の形態２の氷蓄熱式熱源装置の負荷に対する運転パターンを示す図。
【発明を実施するための形態】
【０００８】
実施の形態１．
図１は本発明の実施の形態１の氷蓄熱式熱源装置の構成図である。
図１において、本発明の実施の形態１の氷蓄熱式熱源装置は、ブラインを冷却する熱源機１と、熱源機１により冷却されたブラインで製氷を行う製氷用コイル２ａを内蔵する蓄熱槽２と、ブラインと負荷側の水との熱交換を行う熱交換器６とを備え、熱源機１と熱交換器６とはブラインを循環させる循環用ブライン経路１１で接続されている。
その循環用ブライン経路１１にはブラインポンプ３と、ブラインの温度変化による体積膨張を吸収するための膨張タンク５が設けられている。
さらに、循環用ブライン経路１１には、循環用ブライン経路１１から分岐して迂回し、蓄熱槽２の製氷用コイル２ａを介して循環用ブライン経路１１に戻す製氷用ブライン経路１２が接続されている。さらに、循環用ブライン経路１１には熱源機１から出たブラインを熱交換器６に流さずにショートカットして熱源機１に戻すショートカット用ブライン経路１３が接続されている。
【０００９】
製氷用ブライン経路１２にブラインの温度を制御するための第１の制御用開閉弁である２方弁４ａが設けられている。また、循環用ブライン経路１１で製氷用ブライン経路１２との分岐部分近傍に開閉自在で閉じたときに熱源機１からのブラインを製氷用ブライン経路１２に流すブラインの温度を制御するための第２の制御用開閉弁である２方弁４ｂが設けられている。
さらに、ショートカット用ブライン経路１３と循環用ブライン経路１１でショートカット用ブライン経路１３より熱交換器６寄りにブライン回路を切り替えるための開閉自在な制御用開閉弁である２方弁４ｃ、４ｄがそれぞれ設けられている。
また、蓄熱槽２には、蓄熱槽２の水位を検知するための水位センサー８と、蓄熱槽２内の水を撹拌する撹拌装置９を備えている。
【００１０】
さらに、循環用ブライン経路１１には、熱源機１の入口のブラインの温度を検出する熱源機入口温度センサー７ａと、熱源機１の出口のブラインの温度を検出する熱源機出口温度センサー７ｂと、熱交換器６の入口のブラインの温度を検出する熱交換器入口温度センサー７ｄと、熱交換器６の出口のブラインの温度を検出する熱交換器出口温度センサー７ｅとが設けられている。
また、蓄熱槽２の出口側の製氷用ブライン経路１２には蓄熱槽２の出口のブラインの温度を検出する蓄熱槽出口温度センサー７ｃが設けられている。
さらに、熱交換器６の負荷側に設けられている負荷用水経路１４には、負荷（図示省略）から戻される冷温水の温度を検出する冷温水戻り温度センサー７ｆと、負荷（図示省略）に供給する冷温水の温度を検出する冷温水供給温度センサー７ｇが設けられている。
熱源機１に運転容量である冷却能力の増減を指示する制御手段１０には、水位センサー８や撹拌装置９が接続されている他に、２方弁４ａ〜４ｄ、各種温度センサー７ａ〜７ｇが接続されている。
【００１１】
このように構成された氷蓄熱式熱源装置の各運転モードに動作を説明する。
（１）蓄熱運転モード
蓄熱運転である製氷運転時は、２方弁４ａ、４ｃを開とし、２方弁４ｂ、４ｄを閉とし、ブラインポンプ３を駆動することにより、ブラインが熱源機１と蓄熱槽２内に設置された製氷用コイル２ａの間で循環される。
即ち、熱源機１により概略−５℃程度に冷却されたブラインが、循環用ブライン経路１１の一部を通って製氷用ブライン経路１２に入り、製氷用ブライン経路１２から蓄熱槽２内に設置された製氷用コイル２ａの内側を通ることにより蓄熱槽２内に蓄えた水が冷却され、製氷用コイル２ａの外部に氷を生成する。
そして、製氷用コイル２ａを通過したブラインは製氷用ブライン経路１２を経て循環用ブライン経路１１の一部及びショートカット用ブライン経路１３を通って循環用ブライン経路１１に戻り、ブラインポンプ３を通って熱源機１に戻り、循環することになる。
【００１２】
（２）解氷運転モード
解氷運転時は、２方弁４ａ、４ｄを開とし、２方弁４ｂ、４ｃを閉とし、ブラインポンプ３を駆動することにより、ブラインが熱源機１（解氷運転時は熱源機１を停止する）を介して、蓄熱槽２内に設置された製氷用コイル２ａとブラインと負荷側の水との熱交換を行う熱交換器６の間で循環される。
即ち、蓄熱槽２内に設置された製氷用コイル２ａにて、５℃程度に冷却されたブラインが、製氷用ブライン経路１２を経て循環用ブライン経路１１の一部を通って熱交換器６に入り、熱交換器６ではブラインと負荷側の水との熱交換を行って概略７℃程度に冷却された水が負荷側に供給される。そして、熱交換器６を通過したブラインは、循環用ブライン経路１１を通ってブラインポンプ３を介して熱源機１に戻り、熱源機１から循環用ブライン経路１１の一部を通って製氷用ブライン経路１２に入り、製氷用ブライン経路１２から蓄熱槽２内に設置された製氷用コイル２ａに戻り、循環することになる。
【００１３】
（３）追掛け運転モード
追掛け運転時は、２方弁４ｂ、４ｄを開とし、２方弁４ａ、４ｃを閉とし、熱源機１を動作させ、ブラインポンプ３を駆動することにより、熱源機１により概略５℃程度に冷却されたブラインが、循環用ブライン経路１１を介して熱源機１と、ブラインと負荷側の水との熱交換を行う熱交換器６に入り、熱交換器６ではブラインと負荷側の水との熱交換を行って概略７℃程度に冷却された水が負荷側に供給され、熱交換器６を通過したブラインは、循環用ブライン流路１１を通ってブラインポンプ３を介して熱源機１に戻り、循環することになる。
【００１４】
以上、氷蓄熱式熱源装置の各運転モードについて説明したが、実際に熱交換器６の負荷側に空調機が接続された空調運転では、冷温水供給温度センサー７ｇの目標水温制御において、蓄熱槽２の解氷運転制御のみで対応するピークカット運転と、熱源機１を動作させる運転制御と共に蓄熱槽２の解氷運転制御の両方で対応するピークカット運転とが行われる。
この実施の形態１では、空調運転を行う場合に、蓄熱槽２の解氷運転制御のみで対応するピークカット運転における水温制御について図１及び図２に基づいて説明する。
予め夜間に製氷運転を行い、蓄熱槽２に氷を生成しておく。そして、翌日に空調運転を所望の時間（通常は、８：００〜１８：００）行うが、この場合、図２に示すように、例えば８：００〜１３：００は熱源機１だけによる追掛け運転を行い、１３：０１〜１６：００は解氷運転だけのピークカット運転を行い、１６：０１〜１８：００は熱源機１だけによる追掛け運転を行う負荷に対する運転パターンとなる。なお、図２の空調負荷曲線は空調負荷の変化を示している。また、熱源機１だけによる追掛け運転では、負荷に対応して冷却能力を制御する。
【００１５】
そして、解氷運転だけのピークカット運転時においては、熱源機出口温度センサー７ｂと熱交換器入口ブライン温度センサー７ｄで検知されたブライン温度とブラインポンプ３の設定流量等により蓄熱槽２から解氷量を決定し、２方弁４ａ、４ｂの開度制御動作によって解氷量を調整する。
即ち、解氷運転だけのピークカット運転時における水温制御は次のように行われる。
本来は、冷温水供給温度センサー７ｇで検知された水温が例えば７℃の目標水温になるように２方弁４ａ、４ｂの開度調整を行うが、実際は、熱交換器入口ブライン温度センサー７ｄで検知されたブライン温度が設定された例えば５℃の目標ブライン温度となるように２方弁４ａ、４ｂの開度調整を行う。これは熱交換器６の熱交換性能から、熱交換器６の負荷側の水温とブライン側のブライン温度との間に一定の関係が成立するから、熱交換器入口ブライン温度センサー７ｄで検知されたブライン温度が目標ブライン温度となるように制御すれば、負荷側の水温が目標水温になるからである。
【００１６】
そこで、制御装置１０は、熱交換器入口ブライン温度センサー７ｄで検出されたブライン温度が例えば４℃で、設定された目標ブライン温度の５℃よりも低い場合は、制御用の２方弁４ａの開度を小さくし、制御用の２方弁４ｂの開度を大きくする。
逆に、熱交換器入口ブライン温度センサー７ｄで検出されたブライン温度が例えば６℃で、設定された目標ブライン温度の５℃よりも高い場合は２方弁４ａの開度を大きくし、２方弁４ｂの開度を小さくして目標ブライン温度となるよう制御する。
【００１７】
このように蓄熱槽２の氷を解氷して目標ブライン温度となるよう制御するが、熱交換器入口ブライン温度センサ７ｄで検出されたブライン温度が低くなりすぎ、例えば３℃となり、熱源機出口温度センサー７ｂの例えば９℃の検出温度と熱交換器入口ブライン温度センサー７ｄの例えば３℃の検出温度との差が６℃で、熱源機１出口のブライン温度と熱交換器６入口のブライン温度との予め設定された温度差上限値５℃を超える場合は、蓄熱槽２の氷の解氷量が多いことから生じるため、２方弁４ａの開度を閉じる程度まで小さくし、２方弁４ｂの開度を大きくするようにして蓄熱槽２の解氷量を制御する。
【００１８】
その後に、熱交換器入口ブライン温度センサー７ｄが検出温度が上がり、熱源機出口温度センサー７ｂの例えば１０℃の検出温度と熱交換器入口ブライン温度センサー７ｄの例えば５℃の検出温度との差が５℃で、設定された上限値５℃を超えなくなった場合は始めに述べた２方弁４ａ、４ｂの開度調整を行い、目標ブライン温度となるよう制御する。
【００１９】
このように本実施の形態１によれば、解氷運転だけのピークカット運転時における水温制御を制御手段１０は、熱交換器入口ブライン温度センサー７ｄが熱交換器６に流れ込むブラインの温度を検出し、そのブライン温度と目標ブライン温度とを比較し、そのブライン温度が目標ブライン温度より低いときは、ブラインを蓄熱槽２に流す製氷用ブライン経路１２に設けられた２方弁４ａと熱交換器６に流す循環用ブライン経路１１に設けられた２方弁４ｂとの開度を蓄熱槽２の解氷量を減らすように制御し、逆にブライン温度が目標ブライン温度より高いときは、２方弁４ａと２方弁４ｂとの開度を蓄熱槽２の解氷量を増やすように制御し、熱交換器入口ブライン温度センサー７ｄが検出するブライン温度と、熱源機出口温度センサー７ｂが検出する熱源機１から流れ出て蓄熱槽２を経由させる前のブラインの温度との差が予め設定された温度差上限値を超えるときには２方弁４ａと２方弁４ｂとの開度を蓄熱槽２の解氷を行わないように制御するので、解氷運転中に蓄熱槽２からの解氷量調整を行うことが可能となり、氷の使い過ぎや解け過ぎにより、ピークカット時間帯の中で負荷に対応する熱源ゼロの状態となり、負荷対応が悪化する状態となることなく、冷水を安定して供給することができる。
【００２０】
実施の形態２．
図３は本発明の実施の形態２の氷蓄熱式熱源装置の負荷に対する運転パターンを示す図である。
この実施の形態２の氷蓄熱式熱源装置の構成は、実施の形態１と同様であるため、構成の説明を省略する。
上記実施の形態１が空調運転を行う場合に、蓄熱槽２の解氷運転制御のみで対応するピークカット運転であるのに対し、この実施の形態２は、空調運転を行う場合に、熱源機１を動作させる運転制御と共に蓄熱槽２の解氷運転制御の両方で対応するピークシフト運転である。
この実施の形態２における空調運転を行う場合の熱源機１を動作させる運転制御と共に蓄熱槽２の解氷運転制御の両方で対応するピークシフト運転における水温制御について図１及び図３に基づいて説明する。
予め夜間に製氷運転を行い、蓄熱槽２に氷を生成しておく。そして、翌日に空調運転を所望の時間（通常は、８：００〜１８：００）行うが、この場合、図３に示すように、例えば８：００〜１８：００の間、熱源機１による追掛け運転と解氷運転とを同時に行うピークシフト運転を行う負荷に対する運転パターンとなる。なお、図３の空調負荷曲線は空調負荷の変化を示している。
【００２１】
そして、熱源機１による追掛け運転と解氷運転とを同時に行うピークシフト運転時においても、熱源機出口温度センサー７ｂと熱交換器入口ブライン温度センサー７ｄで検知されたブライン温度とブラインポンプ３の設定流量等により蓄熱槽２から解氷量を決定し、２方弁４ａ、４ｂの開度制御動作によって解氷量を調整する。
即ち、熱源機１による追掛け運転と解氷運転とを同時に行うピークシフト運転時における水温制御は次のように行われる。
【００２２】
制御装置１０は、熱源機１による追掛け運転を行ってブラインを冷却しているが、それと同時に解氷運転も行っている。そして、制御装置１０は熱交換器入口ブライン温度センサー７ｄで検出されたブライン温度が４℃で、設定された目標ブライン温度の５℃よりも低い場合は、制御用の２方弁４ａの開度を小さくし、制御用の２方制御弁４ｂの開度を大きくする。
逆に、熱交換器入口ブライン温度センサー７ｄで検出されたブライン温度が６℃で、設定された目標ブライン温度の５℃よりも高い場合は２方弁４ａの開度を大きくし、２方弁４ｂの開度を小さくして目標ブライン温度となるよう制御する。
【００２３】
このように蓄熱槽２の氷を解氷して目標ブライン温度となるよう制御するが、熱源機１による追掛け運転によりブラインを冷却しているため、実施の形態１に比べて熱源機出口温度センサー７ｂで検出するブラインの温度は低くなるのが通例である。
そこで、熱交換器入口ブライン温度センサー７ｄで検出されたブライン温度が低くなりすぎ、例えば３℃となり、熱源機出口温度センサー７ｂの例えば７℃の検出温度と熱交換器入口ブライン温度センサー７ｄの例えば３℃の検出温度との差が４℃で、熱源機１出口のブライン温度と熱交換器６入口のブライン温度との予め設定された温度差上限値２℃を超える場合は、蓄熱槽２の氷の解氷量が多いことから生じるため、２方弁４ａの開度を閉じる程度まで小さくし、２方弁４ｂの開度を大きくするようにして蓄熱槽２の解氷量を制御するが、蓄熱槽２の解氷をやめても直ぐに熱交換器入口ブライン温度センサー７ｄで検出されたブライン温度が上がるとは限らない。
そこで、熱源機１によるブラインの冷却能力も落とし、できるだけ早く熱交換器入口ブライン温度センサー７ｄで検出されたブライン温度が上がるようにして目標ブライン温度に近づけるようにしている。
【００２４】
その後に、熱交換器入口ブライン温度センサー７ｄの検出温度が上がり、熱源機出口温度センサー７ｂの例えば７℃の検出温度と熱交換器入口ブライン温度センサー７ｄの例えば５℃の検出温度との差が２℃で、設定された上限値２℃を超えなくなった場合は始めに述べた２方弁４ａ、４ｂの開度調整を行い、目標ブライン温度となるよう制御する。
【００２５】
このように本実施の形態２によれば、熱源機１による追掛け運転と解氷運転とを同時に行うピークシフト運転時における水温制御を制御手段１０は、熱源機１がブラインを冷却している状態で、熱交換器入口ブライン温度センサー７ｄが熱交換器６に流れ込むブラインの温度を検出し、そのブライン温度と目標ブライン温度とを比較し、そのブライン温度が目標ブライン温度より低いときは、ブラインを蓄熱槽２に流す製氷用ブライン経路１２に設けられた２方弁４ａと熱交換器６に流す循環用ブライン経路１１に設けられた２方弁４ｂとの開度を蓄熱槽２の解氷量を減らすように制御し、逆にブライン温度が目標ブライン温度より高いときは、２方弁４ａと２方弁４ｂとの開度を蓄熱槽２の解氷量を増やすように制御し、熱交換器入口ブライン温度センサ７ｄが検出するブライン温度と、熱源機出口温度センサー７ｂが検出する熱源機１から流れ出て蓄熱槽２を経由させる前のブラインの温度との差が予め設定された温度差上限値を超えるときには２方弁４ａと２方弁４ｂとの開度を蓄熱槽２の解氷を行わないように制御すると共に熱源機１によるブラインの冷却能力も落すようにしたので、ピークシフト運転時中に蓄熱槽２からの解氷量調整を行うことが可能となり、氷の使い過ぎや解け過ぎにより、ピークカット時間帯の中で負荷に対応する熱源ゼロの状態となり、負荷対応が悪化する状態となることなく、冷水を安定して供給することができる。
【符号の説明】
【００２６】
１  熱源機、２ａ  蓄熱槽、２ｂ  水位センサー、２ｃ  撹拌装置、３  ブラインポンプ、４ａ  ２方弁（第１の制御用開閉弁）、４ｂ  ２方弁（第２の制御用開閉弁）、４ｃ  ２方弁、４ｄ  ２方弁、５  膨張タンク、６  熱交換器、７ａ  熱源機入口温度センサー、７ｂ  熱源機出口温度センサー（第１の温度センサー）、７ｃ  蓄熱槽出口温度センサー、７ｄ  熱交換器入口温度センサー（第２の温度センサー）、７ｅ  熱交換器出口温度センサー、７ｆ  冷温水戻り温度センサー、７ｇ  冷温水供給温度センサ。
【図１】
0005383409.tif 000002
【図２】
0005383409.tif 000003
【図３】
0005383409.tif 000004